(57)【特許請求の範囲】
【請求項１】
第１部材と、
前記第１部材と連結される第２部材と、
前記第１部材と前記第２部材とを連結する連結部とを備え、
前記第１部材と前記第２部材にはそれぞれ係合穴が形成され、
前記連結部は、前記係合穴を覆う被覆部と、前記被覆部から突出するように形成されて前記第１部材と前記第２部材との係合穴に挿入される挿入部と、前記被覆部に接続されて前記挿入部の延びる方向に沿って延びる腕部と、前記腕部に形成されて前記第１部材上に係止される連結部側係止部とを含み、
前記第１部材は、前記連結部側係止部を着脱可能に係止する第１部材側仮係止部と第１部材側本係止部と、前記第１部材側仮係止部と前記第１部材側本係止部との間に形成される平面部とを含み、
前記第１部材側仮係止部は、前記第１部材側本係止部と比較して、前記第１部材の係合穴に近い位置に配置され、
前記第１部材側仮係止部における前記第１部材の係合穴側の端部と前記第１部材側本係止部における前記第１部材の係合穴側の端部との間の距離は、前記第２部材の係合穴の深さ以上であり、そして
前記第１部材は相対的に内径の大きい筒であり、
前記第２部材は相対的に内径の小さい筒であり、
前記第２部材は前記第１部材の内部でスライド可能に前記第１部材の内部に収容され、
前記第２部材は、前記第２部材の係合穴に対向する位置に副係合穴が形成され、
前記第１部材側仮係止部における前記第１部材の係合穴側の端部と前記第１部材側本係止部における前記第１部材の係合穴側の端部との間の距離は、前記第２部材の係合穴の深さと、前記第２部材の係合穴から副係合穴までの距離と、前記第２部材の副係合穴の深さとの合計の長さ以上である、連結構造。
【請求項２】
前記連結部側係止部は凸部であり、
前記第１部材側仮係止部は、前記第１部材の外側表面に形成される凹部であり、
前記凹部の深さは、前記第１部材の係合穴に近い側から遠い側の方向へ向かって深さが浅くなるような傾斜面を有する、請求項１に記載の連結構造。
【請求項３】
前記第１部材は、前記第１部材の係合穴に対向する位置に副係合穴が形成され、
前記第１部材側仮係止部における前記第１部材の係合穴側の端部と前記第１部材側本係止部における前記第１部材の係合穴側の端部との間の距離は、前記第２部材の係合穴の深さと、前記第２部材の係合穴から副係合穴までの距離と、前記第２部材の副係合穴の深さと、前記第２部材の副係合穴から前記第１部材の副係合穴までの距離と、前記第１部材の副係合穴の深さとの合計の長さ以上である、請求項１又は２に記載の連結構造。
【請求項４】
第１部材と、
前記第１部材と連結される第２部材と、
前記第１部材と前記第２部材とを連結する連結部とを備え、
前記第１部材と前記第２部材にはそれぞれ係合穴が形成され、
前記連結部は、前記係合穴を覆う被覆部と、前記被覆部から突出するように形成されて前記第１部材と前記第２部材との係合穴に挿入される挿入部と、前記被覆部に接続されて前記挿入部の延びる方向に沿って延びる腕部と、前記腕部に形成されて前記第１部材上に係止される連結部側仮係止部と連結部側本係止部とを含み、
前記第１部材は、前記連結部側仮係止部と前記連結部側本係止部とを着脱可能に係止する第１部材側係止部と、前記第１部材側係止部に隣接して、前記第１部材側係止部よりも前記係合穴から遠い位置に形成される平面部とを含み、
前記連結部側本係止部は、前記連結部側仮係止部と比較して、前記被覆部に近い位置に配置され、
前記連結部側本係止部における前記被覆部側の端部と前記連結部側仮係止部における前記被覆部側の端部との間の距離は、前記第２部材の係合穴の深さ以上であり、そして
前記第１部材は相対的に内径の大きい筒であり、
前記第２部材は相対的に内径の小さい筒であり、
前記第２部材は前記第１部材の内部でスライド可能に前記第１部材の内部に収容され、
前記第２部材は、前記第２部材の係合穴に対向する位置に副係合穴が形成され、
前記連結部側本係止部における前記被覆部側の端部と前記連結部側仮係止部における前記被覆部側の端部との間の距離は、前記第２部材の係合穴の深さと、前記第２部材の係合穴から副係合穴までの距離と、前記第２部材の副係合穴の深さとの合計の長さ以上である、連結構造。
【請求項５】
前記第１部材は、前記第１部材の係合穴に対向する位置に副係合穴が形成され、
前記連結部側本係止部における前記被覆部側の端部と前記連結部側仮係止部における前記被覆部側の端部との間の距離は、前記第２部材の係合穴の深さと、前記第２部材の係合穴から副係合穴までの距離と、前記第２部材の副係合穴の深さと、前記第２部材の副係合穴から前記第１部材の副係合穴までの距離と、前記第１部材の副係合穴の深さとの合計の長さ以上である、請求項４に記載の連結構造。
【請求項６】
前記係合穴は、前記第２部材に複数形成されている、請求項１から請求項５までのいずれか１項に記載の連結構造。
【請求項７】
把手部を含む手摺り部と、
浴槽の側壁に配置されて前記手摺り部を支持する本体部と、
請求項１から請求項６までのいずれか１項に記載の連結構造を備え、
前記第１部材は前記本体部に配置され、
前記第２部材は前記手摺り部に配置されて前記把手部に固着されている、浴槽用手摺り。
【請求項８】
前記手摺り部を前記本体部に固定する固定部を備える、請求項７に記載の浴槽用手摺り。
【請求項９】
前記固定部は、前記手摺り部と前記本体部の上表面との間に配置される、請求項８に記載の浴槽用手摺り。
【発明の詳細な説明】
【技術分野】
【０００１】
本発明は、一般的には連結構造に関し、特定的には、２つの部材を連結する連結構造に関する。また、それを備える浴槽用手摺りに関する。
【背景技術】
【０００２】
従来、浴槽の側壁に着脱可能に取り付けられる浴槽用手摺りがある。このような浴槽用手摺りには、手摺りの握りの高さを調節することができるものがある。
【０００３】
例えば、特開２０００−４１８８１号公報（特許文献１）には、浴槽の側壁に取り付けて使用される浴槽用手摺装置が記載されている。この浴槽用手摺装置では、略Ｕ字型に折曲形成された手摺本体の手摺片が、浴槽の開口端面から出没自在に可動し得るように、浴槽側壁に固着された支持部によって支持されている。
【０００４】
この浴槽用手摺装置の手摺片には通孔が形成され、支持部には複数の貫通孔が形成されている。通孔と貫通孔には挿通ピンが挿通されて、手摺片と支持部とを固定する。挿通ピンはピン本体とピンホルダーとを有し、ピン本体が支持片の貫通孔および脚片の通孔に挿通され、ピンホルダーが支持部の支持片に保持される。このようにすることにより、挿通ピンが誤って抜去されることを防止する。また、挿通ピンを手摺片と支持部から外すことにより、手摺片と支持部との固定を解除することができる。
【０００５】
固定を解除された手摺片は、浴槽の開口端面から突出するように引き出され、開口端面からの手摺片の高さを調節される。そして、支持片の複数の貫通孔のうちから適宜選択された貫通孔と通孔にピン本体を挿通することによって、高さを調節された状態で、手摺片が支持片に固定される。
【先行技術文献】
【特許文献】
【０００６】
【特許文献１】特開２０００−４１８８１号公報
【発明の概要】
【発明が解決しようとする課題】
【０００７】
しかしながら、特許文献１に記載の浴槽用手摺装置では、手摺片の高さを調節するときには、挿通ピンを完全に手摺部と支持部とから取り外さなければならない。そのため、手摺片の高さを調節するときに挿通ピンを紛失しやすい。また、筒状の手摺片や支持部の周囲は曲面で形成されているので、ピン本体を通孔と貫通孔に挿通するときにピンホルダーを曲面に沿って変形させなければならない。そのため、手摺片を支持部に固定するときに、大きな力が必要である。
【０００８】
このように、従来の浴槽用手摺装置は、手摺片の高さを調節するときに挿通ピンを紛失しないように気を付ける必要があり、また、手摺片を支持部に固定することが容易でなく、簡単に取り扱えるものではない。
【０００９】
そこで、この発明の目的は、取り扱いが簡単な連結構造と、それを備える浴槽用手摺りを提供することである。
【課題を解決するための手段】
【００１０】
この発明の１つの局面に従った連結構造は、第１部材と、第１部材と連結される第２部材と、第１部材と第２部材とを連結する連結部とを備える。
【００１１】
第１部材と第２部材にはそれぞれ係合穴が形成されている。連結部は、被覆部と、挿入部と、腕部と、連結部側係止部とを含む。被覆部は、係合穴を覆う。挿入部は、被覆部から突出するように形成されて第１部材と第２部材との係合穴に挿入される。腕部は、被覆部に接続されて挿入部の延びる方向に沿って延びる。連結部側係止部は、腕部に形成されて第１部材上に係止される。第１部材は、連結部側係止部を着脱可能に係止する第１部材側仮係止部と第１部材側本係止部と、第１部材側仮係止部と第１部材側本係止部との間に形成される平面部とを含む。第１部材側仮係止部は、第１部材側本係止部と比較して係合穴に近い位置に配置されている。第１部材側仮係止部において前記第１部材の係合穴側の端部と第１部材側本係止部において前記第１部材の係合穴側の端部との間の距離は、第２部材の係合穴の深さ以上である。
【００１２】
以上のように構成された連結構造では、第１部材と第２部材は次のようにして連結される。まず、第１部材の係合穴と第２部材の係合穴とを合わせる。次に、連結部の被覆部が係合穴を覆うようにして、被覆部から突出する挿入部を第１部材の係合穴と第２部材の係合穴に挿入する。連結部の被覆部からは腕部が延びている。腕部は、挿入部の延びる方向に沿って延びており、腕部には連結部側係止部が形成されている。挿入部を第１部材と第２部材の外部から、第１部材の係合穴と第２部材の係合穴の内部に挿入することによって、腕部の連結部側係止部は、第１部材の係合穴と第２部材の係合穴の外部において、挿入部が挿入される向きに移動される。
【００１３】
第１部材の第１部材側仮係止部は、第１部材側本係止部よりも係合穴に近い位置に配置されている。第１部材の係合穴と第２部材の係合穴の外部において、挿入部が挿入される向きに移動される連結部側係止部は、まず、第１部材側仮係止部の位置に到達する。連結部側係止部は、第１部材側仮係止部に係止され得るが、さらに挿入部を係合穴の内部に向かって挿入することによって、連結部側係止部は、第１部材側仮係止部から第１部材側本係止部に向かって移動される。第１部材側仮係止部と第１部材側本係止部との間には平面部が形成されている。そのため、第１部材側仮係止部から第１部材側本係止部に向かって連結部側係止部が移動されるとき、第１部材側本係止部と第１部材側仮係止部との間が曲面や凹凸面で形成されている場合と比較して、連結部側係止部が形成されている腕部を大きく変形させる必要がない。
【００１４】
さらに挿入部が係合穴の内部に向かって挿入されるとともに平面部上を移動された連結部側係止部は、第１部材側本係止部の位置に到達する。連結部側係止部は第１部材側本係止部に係止される。
【００１５】
挿入部の長さは、適宜設計される。例えば、連結部側係止部が第１部材側本係止部に係止されるときに、挿入部において被覆部と反対側の端部が第２部材の係合穴に完全に挿入されるように、挿入部の長さを設計することができる。
【００１６】
次に、第１部材と第２部材との連結を解除する場合の操作について説明する。挿入部が係合穴から抜き出される方向に連結部が移動されることによって、まず、連結部側係止部が第１部材側本係止部から外れる。連結部側係止部は第１部材側本係止部から第１部材側仮係止部との間に形成される平面部上を移動する。そのため、第１部材側本係止部から第１部材側仮係止部に向かって連結部側係止部が移動されるとき、第１部材側本係止部と第１部材側仮係止部との間が曲面や凹凸面で形成されている場合と比較して、連結部側係止部が形成されている腕部を大きく変形させる必要がない。
【００１７】
第１部材側仮係止部において第１部材の係合穴側の端部と第１部材側本係止部において第１部材の係合穴側の端部との間の距離は、第２部材の係合穴の深さ以上である。したがって、例えば、挿入部の長さが上述のように設計されている場合には、挿入部が第２部材の係合穴に完全に挿入された状態では連結部側係止部が第１部材側本係止部に係止され、連結部側係止部が第１部材側仮係止部にあるときには、挿入部が第２部材の係合穴から完全に抜け出した状態にあるようにすることができる。挿入部が第２部材の係合穴から完全に抜け出した状態では、第１部材と第２部材とは連結されていない。
【００１８】
連結部がさらに移動されると、連結部側係止部が第１部材側仮係止部に係止される位置に到達する。例えば、挿入部の長さが上述のように設計されている場合には、連結部側係止部が第１部材側仮係止部に係止されているときには、挿入部は第２部材の係合穴から完全に抜け出した状態にある。
【００１９】
以上のように、挿入部が第２部材の係合穴から完全に抜け出したとき、すなわち、第１部材と第２部材とが連結されていない状態で、連結部の連結部側係止部が第１部材側仮係止部に係止されている。このようにすることにより、第１部材と第２部材との連結を解除して第１部材と第２部材との位置関係を調節するときに、連結部を第１部材からも第２部材からも外して紛失することがなくなる。
【００２０】
また、第１部材側仮係止部と第１部材側本係止部との間に平面部が形成されていることによって、連結部側係止部が第１部材側仮係止部と第１部材側本係止部との間を移動するときに腕部の変形を従来よりも少なくすることができる。
【００２１】
このようにすることにより、取り扱いが簡単な連結構造を提供することができる。
【００２２】
この発明の１つの局面に従った連結構造においては、連結部側係止部は凸部であり、第１部材側仮係止部は、第１部材の外側表面に形成される凹部であることが好ましい。凹部の深さは、第１部材の係合穴に近い側で深く、第１部材の係合穴から遠い側で浅いことが好ましい。
【００２３】
このようにすることにより、連結部側係止部を第１部材側仮係止部から第１部材側本係止部に移動させるとき、すなわち、挿入部を係合穴の内部に向かって挿入するとき、第１部材側仮係止部による連結部側係止部の係止が外れやすくなる。
【００２４】
この発明の１つの局面に従った連結構造においては、第１部材は相対的に内径の大きい筒であり、第２部材は相対的に内径の小さい筒であることが好ましい。第２部材は第１部材の内部でスライド可能に第１部材の内部に収容されていることが好ましい。第２部材は、第２部材の係合穴と対向する位置に副係合穴が形成されていることが好ましい。挿入部は、係合穴と副係合穴との両方を貫通する長さに形成されていることが好ましい。第１部材側仮係止部において前記第１部材の係合穴側の端部と第１部材側本係止部において前記第１部材の係合穴側の端部との間の距離は、第２部材の係合穴の深さと、第２部材の係合穴から副係合穴までの距離と、第２部材の副係合穴の深さとの合計の長さ以上であることが好ましい。
【００２５】
このようにすることにより、挿入部の長さを、第２部材の係合穴と副係合穴との両方を貫通する長さにし、第２部材の係合穴と副係合穴に挿入部を挿入して、第１部材と第２部材とをより強固に連結することができる。また、第２部材と第１部材との連結が解除された状態で、連結部を第１部材上に係止させることができる。
【００２６】
この発明の１つの局面に従った連結構造においては、第１部材は、第１部材の係合穴と対向する位置に副係合穴が形成されていることが好ましい。第１部材側仮係止部において前記第１部材の係合穴側の端部と第１部材側本係止部において前記第１部材の係合穴側の端部との間の距離は、第２部材の係合穴の深さと、第２部材の係合穴から副係合穴までの距離と、第２部材の副係合穴の深さと、第２部材の副係合穴から第１部材の副係合穴までの距離と、第１部材の副係合穴の深さとの合計の長さ以上であることが好ましい。
【００２７】
このようにすることにより、挿入部の長さを、第１部材の係合穴と副係合穴との両方を貫通する長さにし、第１部材の係合穴と副係合穴と、第２部材の係合穴と副係合穴とに挿入部を挿入して、第１部材と第２部材とをより強固に連結することができる。また、第２部材と第１部材との連結が解除された状態で、連結部を第１部材上に係止させることができる。
【００２８】
この発明の別の局面に従った連結構造は、第１部材と、第１部材と連結される第２部材と、第１部材と第２部材とを連結する連結部とを備える。
【００２９】
第１部材と第２部材にはそれぞれ係合穴が形成されている。連結部は、被覆部と、挿入部と、腕部と、連結部側仮係止部と連結部側本係止部とを含む。被覆部は、係合穴を覆う。挿入部は、被覆部から突出するように形成されて第１部材と第２部材との係合穴に挿入される。腕部は、被覆部に接続されて挿入部の延びる方向に沿って延びる。連結部側仮係止部と連結部側本係止部とは、腕部に形成されて第１部材上に係止される。第１部材は、連結部側仮係止部と連結部側本係止部とを着脱可能に係止する第１部材側係止部と、第１部材側係止部に隣接して形成される平面部とを含む。平面部は、第１部材側係止部よりも、第１部材の係合穴から遠い位置に形成されている。連結部側本係止部は、連結部側仮係止部と比較して、被覆部に近い位置に配置されている。連結部側本係止部において被覆部側の端部と連結部側仮係止部において被覆部側の端部との間の距離は、第２部材の係合穴の深さ以上である。
【００３０】
以上のように構成された連結構造では、第１部材と第２部材は次のようにして連結される。まず、第１部材の係合穴と第２部材の係合穴とを合わせる。次に、連結部の被覆部が係合穴を覆うようにして、被覆部から突出する挿入部を第１部材の係合穴と第２部材の係合穴に挿入する。連結部の被覆部からは腕部が延びている。腕部は、挿入部の延びる方向に沿って延びており、腕部には連結部側仮係止部と連結部側本係止部とが形成されている。挿入部を第１部材と第２部材の外部から、第１部材の係合穴と第２部材の係合穴の内部に挿入することによって、腕部の連結部側仮係止部と連結部側本係止部とは、第１部材の係合穴と第２部材の係合穴の外部において、挿入部が挿入される向きに移動される。
【００３１】
連結部の連結部側本係止部は、連結部側仮係止部よりも被覆部に近い位置に配置されている。第１部材の係合穴と第２部材の係合穴の外部において、連結部が挿入部が挿入される向きに移動されると、まず、連結部側仮係止部が第１部材側係止部の位置に到達する。連結部側仮係止部は、第１部材側係止部に係止され得るが、さらに挿入部を係合穴の内部に向かって挿入することによって、連結部側仮係止部は、第１部材側係止部から平面部に向かって移動される。平面部は、第１部材側係止部と隣接して、第１部材側係止部よりも第１部材の係合穴から遠い位置に形成されている。そのため、連結部側仮係止部が、第１部材側係止部を通りすぎて、第１部材の係合穴から遠ざかる方向に移動されるとき、第１部材において第１部材側係止部に隣接する部分が曲面や凹凸面で形成されている場合と比較して、連結部側本係止部と連結部側仮係止部とが形成されている腕部を大きく変形させる必要がない。
【００３２】
さらに挿入部が係合穴の内部に向かって挿入されると、次に、連結部側本係止部が第１部材側係止部の位置に到達する。連結部側本係止部は第１部材側係止部に係止される。
【００３３】
挿入部の長さは、適宜設計される。例えば、連結部側本係止部が第１部材側係止部に係止されるときに、挿入部において被覆部と反対側の端部が第２部材の係合穴に完全に挿入されるように、挿入部の長さを設計することができる。
【００３４】
次に、第１部材と第２部材との連結を解除する場合の操作について説明する。挿入部が係合穴から抜き出される方向に連結部が移動されることによって、まず、連結部側本係止部が第１部材側係止部から外れる。一方、連結部側仮係止部は平面部上を移動する。そのため、第１部材側係止部よりも第１部材の係合穴から遠い位置において第１部材側係止部に隣接する部分が曲面や凹凸面で形成されている場合と比較して、連結部側仮係止部と連結部側本係止部とが形成されている腕部を大きく変形させる必要がない。
【００３５】
連結部側仮係止部において被覆部側の端部と連結部側本係止部において被覆部側の端部との間の距離は、第２部材の係合穴の深さ以上である。したがって、例えば、挿入部の長さが上述のように設計されている場合には、挿入部が第２部材の係合穴に完全に挿入された状態では連結部側本係止部が第１部材側係止部に係止され、連結部側仮係止部が第１部材側係止部に係止されているときには、挿入部が第２部材の係合穴から完全に抜け出した状態にあるようにすることができる。挿入部が第２部材の係合穴から完全に抜け出した状態では、第１部材と第２部材とは連結されていない。
【００３６】
連結部がさらに移動されると、連結部側仮係止部が第１部材側係止部に係止される位置に到達する。例えば、挿入部の長さが上述のように設計されている場合には、連結部側仮係止部が第１部材側仮係止部に係止されているときには、挿入部は第２部材の係合穴から完全に抜け出した状態にある。
【００３７】
以上のように、挿入部が第２部材の係合穴から完全に抜け出したとき、すなわち、第１部材と第２部材とが連結されていない状態で、連結部の連結部側仮係止部が第１部材側係止部に係止されている。このようにすることにより、第１部材と第２部材との連結を解除して第１部材と第２部材との位置関係を調節するときに、連結部を第１部材からも第２部材からも外して紛失することがなくなる。
【００３８】
また、第１部材側係止部と隣接して、第１部材側係止部よりも第１部材の係合穴から遠い位置に平面部が形成されていることによって、連結部側仮係止部が第１部材側係止部に係止される位置から連結部側本係止部が第１部材側係止部に係止される位置まで連結部を移動するときに、腕部の変形を従来よりも少なくすることができる。また、連結部側本係止部が第１部材側係止部に係止される位置から連結部側仮係止部が第１部材側係止部に係止される位置まで連結部を移動するときに、腕部の変形を従来よりも少なくすることができる。
【００３９】
このようにすることにより、取り扱いが簡単な連結構造を提供することができる。
【００４０】
この発明の別の局面に従った連結構造においては、第１部材は相対的に内径の大きい筒であり、第２部材は相対的に内径の小さい筒であることが好ましい。第２部材は第１部材の内部でスライド可能に第１部材の内部に収容されていることが好ましい。第２部材は、第２部材の係合穴と対向する位置に副係合穴が形成されていることが好ましい。挿入部は、係合穴と副係合穴との両方を貫通する長さに形成されていることが好ましい。連結部側本係止部において被覆部側の端部と連結部側仮係止部において被覆部側の端部との間の距離は、第２部材の係合穴の深さと、第２部材の係合穴から副係合穴までの距離と、第２部材の副係合穴の深さとの合計の長さ以上であることが好ましい。
【００４１】
このようにすることにより、挿入部の長さを、第２部材の係合穴と副係合穴との両方を貫通する長さにし、第２部材の係合穴と副係合穴に挿入部を挿入して、第１部材と第２部材とをより強固に連結することができる。また、第２部材と第１部材との連結が解除された状態で、連結部を第１部材上に係止させることができる。
【００４２】
この発明の別の局面に従った連結構造においては、第１部材は、第１部材の係合穴と対向する位置に副係合穴が形成されていることが好ましい。連結部側本係止部において被覆部側の端部と連結部側仮係止部において被覆部側の端部との間の距離は、第２部材の係合穴の深さと、第２部材の係合穴から副係合穴までの距離と、第２部材の副係合穴の深さと、第２部材の副係合穴から第１部材の副係合穴までの距離と、第１部材の副係合穴の深さとの合計の長さ以上であることが好ましい。
【００４３】
このようにすることにより、挿入部の長さを、第１部材の係合穴と副係合穴との両方を貫通する長さにし、第１部材の係合穴と副係合穴と、第２部材の係合穴と副係合穴とに挿入部を挿入して、第１部材と第２部材とをより強固に連結することができる。また、第２部材と第１部材との連結が解除された状態で、連結部を第１部材上に係止させることができる。
【００４４】
この発明に従った連結構造においては、係合穴は、第２部材に複数形成されていることが好ましい。
【００４５】
このようにすることにより、第２部材において挿入部が挿入される係合穴を選択することによって、第１部材と第２部材との位置関係を調節することができる。
【００４６】
この発明に従った浴槽用手摺りは、手摺り部と、本体部と、上記のいずれかの連結構造とを備えることが好ましい。手摺り部は把手部を含む。本体部は浴槽の側壁に配置されて手摺り部を支持する。第１部材は本体部に配置されていることが好ましい。第２部材は手摺り部に配置されて把手部に固着されていることが好ましい。
【００４７】
このようにすることにより、把手部の高さを容易に、かつ、安全に調節することが可能な浴槽用手摺りを提供することができる。
【００４８】
この発明に従った浴槽用手摺りは、手摺り部を本体部に固定する固定部を備えることが好ましい。
【００４９】
このようにすることにより、手摺り部のガタツキを防止することができる。
【００５０】
この発明に従った浴槽用手摺りにおいては、固定部は、手摺り部と本体部の上表面との間に配置されることが好ましい。
【００５１】
このようにすることにより、手摺り部のガタツキをより効果的に防止することができる。
【発明の効果】
【００５２】
以上のように、この発明によれば、取り扱いが簡単な連結構造と、それを備える浴槽用手摺りを提供することができる。
【図面の簡単な説明】
【００５３】
【図１】本発明の第１実施形態の浴槽用手摺りの全体を示す斜視図である。
【図２】浴槽用手摺りのカバーを取り外した状態を示す斜視図である。
【図３】図２に示す浴槽用手摺りをＩＩＩ−ＩＩＩ線で示す方向から見た断面図である。
【図４】図３に示す浴槽用手摺りの固定ピンが仮係止状態にあるときの断面図である。
【図５】本発明の第２実施形態の浴槽用手摺りの固定ピンとその周辺を示す断面図である。
【図６】図５に示す浴槽用手摺りの固定ピンが仮係止状態にあるときの断面図である。
【図７】本発明の第３実施形態の浴槽用手摺りの固定ピンとその周辺を示す断面図である。
【図８】図７に示す浴槽用手摺りの連結構造を拡大して示す断面図である。
【図９】図７に示す浴槽用手摺りの固定ピンが仮係止状態にあるときの断面図である。
【図１０】本発明の第４実施形態の浴槽用手摺りの固定ピンとその周辺を示す断面図である。
【図１１】図１０に示す浴槽用手摺りの連結構造を拡大して示す断面図である。
【図１２】図１０に示す浴槽用手摺りの固定ピンが仮係止状態にあるときの断面図である。
【発明を実施するための形態】
【００５４】
以下、本発明の実施の形態を図面に基づいて説明する。
【００５５】
（第１実施形態）
図１と図２に示すように、本発明の一つの実施形態の浴槽用手摺り１は、主に、手摺り部２００と、本体部として本体１００とを備える。
【００５６】
手摺り部２００は、把手部として上部グリップ２１０と、第２部材として２本の支柱２２０とから構成されている。支柱２２０は、略鉛直方向に延びるように本体１００に支持されている。支柱２２０には、軸に沿って複数の孔２２１が形成されている。上部グリップ２１０は２本の支柱２２０の上端に掛け渡されるようにして支柱２２０に固着されている。孔２２１は係合穴の一例である。
【００５７】
本体１００は、浴槽壁の外側に配置される外側本体部１１０と浴槽壁の内側に配置される内側本体部１２０とを含む。外側本体部１１０には第１の押圧板１１１が取り付けられ、内側本体部１２０には第２の押圧板１２１が取り付けられている。外側本体部１１０は筒状の第１部材として手摺り部収容部１１４を含む。手摺り部収容部１１４には、手摺り部２００の支柱２２０の一部が抜き差し可能に収容される。
【００５８】
外側本体部１１０と内側本体部１２０とは、第１の押圧板１１１と第２の押圧板１２１とが浴槽壁（図示しない）を挟んで対向するように配置される。内側本体部１２０は、外側本体部１１０上でスライドして第１の押圧板１１１と第２の押圧板１２１との間隔を調整することができるように、浴槽壁の上端部に配置される部分において外側本体部１１０に嵌合されている。
【００５９】
本体１００において浴槽の外側に配置される側面はハンドルノブ隠しカバー１３１によって覆われている。ハンドルノブ隠しカバー１３１は着脱可能に外側本体部１１０のフレーム支持部１１２に取り付けられている。内側本体部１２０において浴槽の内側に配置される側面には、側部グリップ１２２が取り付けられている。
【００６０】
本体１００の上面と上部グリップ２１０との間において、２本の支柱２２０は、それぞれ固定部として固定ナット４００によって外側本体部１１０に固定されている。なお、固定部はナットの他、Ｃリングやその他の部材によって形成されていてもよい。
【００６１】
図２に示すように、ハンドルノブ隠しカバー１３１がフレーム支持部１１２から取り外されると、外側本体部１１０に取り付けられたハンドルノブ１１３と、第１部材として手摺り部収容部１１４と固定ピン３０１とが露出する。手摺り部収容部１１４は、外側本体部１１０の水平方向の両端に１つずつ配置されている。手摺り部収容部１１４は略鉛直方向に延びる筒状に形成されている。手摺り部収容部１１４には、支柱２２０の軸に沿って、上下方向の複数の位置に孔２２１が形成された支柱２２０が収容されている。支柱２２０は、軸に沿ってスライド可能に手摺り部収容部１１４に収容されている。ハンドルノブ１１３は、外側本体部１１０の中央において、ボルト軸によって第１の押圧板１１１に連結されている。固定ピン３０１は、連結部の一例である。
【００６２】
図３に示すように、連結構造１０は手摺り部収容部１１４と支柱２２０と固定ピン３０１とを備える。手摺り部収容部１１４の筒状の空洞の内部に支柱２２０が収容されている。手摺り部収容部１１４には係合穴として孔１１５が形成されている。手摺り部収容部１１４の外側表面上には、固定ピン３０１が嵌められている。
【００６３】
固定ピン３０１は、全体としてＣ字形状に形成されており、被覆部としてカバー３１０と、挿入部として挿入ピン３２０と、腕部として一対の腕３３０と、連結部側係止部として一対の脱落防止リブ３４０と、一対の滑り防止リブ３５０とを含む。カバー３１０は、孔１１５を覆う。挿入ピン３２０は、カバー３１０から突出するように形成されており、手摺り部収容部１１４の孔１１５と支柱２２０と孔２２１とに挿入される。一対の腕３３０は、カバー３１０に接続されて、挿入ピン３２０の延びる方向に沿って延びている。脱落防止リブ３４０は、一対の腕３３０のそれぞれの端部に形成されている。脱落防止リブ３４０は、挿入ピン３２０側に突出する突起である。滑り防止リブ３５０はカバー３１０の両脇において、カバー３１０よりも腕３３０の先端側に形成されている。滑り防止リブ３５０は、挿入ピン３２０の反対側に向かって突出する突起である。滑り防止リブ３５０は、カバー３１０と脱落防止リブ３４０との間に形成されていることが好ましい。なお、この実施形態においては、カバー３１０と腕３３０とは一体に成形されている。カバー３１０と腕３３０とは、例えば、別個の部材によって形成され、互いに固着されていてもよい。
【００６４】
手摺り部収容部１１４には、孔１１５が形成されている。手摺り部収容部１１４は、第１部材側仮係止部として一対の仮係止部１１６と、第１部材側本係止部として一対の本係止部１１７と、仮係止部１１６と本係止部１１７との間に形成される平面部として一対の係止用延長部１１８とを含む。仮係止部１１６と本係止部１１７は、手摺り部収容部１１４の外側表面上に形成された凹部である。仮係止部１１６は、本係止部１１７と比較して孔１１５に近い位置に形成されている。仮係止部１１６の凹部の深さは、本係止部１１７から遠い側で深く、本係止部１１７に近い側で浅い。支柱２２０には、深さＤ１の孔２２１が軸に沿って複数、形成されている。仮係止部１１６の孔１１５側の端部と本係止部１１７の孔１１５側の端部との間の距離Ｄ２は、支柱２２０の孔２２１の深さＤ１以上である。なお、一対の係止用延長部１１８は、この実施形態においては平行に形成されている。しかし、一対の係止用延長部１１８は、それぞれ平面によって形成され、凹凸面や曲面によって形成されていなければ、互いに平行に形成されていなくてもよい。また、この実施形態においては、一対の係止用延長部１１８は、それぞれ、挿入ピン３２０の延びる方向と平行に形成されている。しかし、一対の係止用延長部１１８は、それぞれ、挿入ピン３２０の延びる方向と平行に形成されていなくてもよい。すなわち、一方の係止用延長部１１８は他方の係止用延長部１１８に対して傾斜していてもよいし、係止用延長部１１８は挿入ピン３２０の延びる方向に対して傾斜していてもよい。
【００６５】
図３に示す状態においては、脱落防止リブ３４０は、手摺り部収容部１１４上の本係止部１１７に係止されている。挿入ピン３２０の端部は、支柱２２０の孔２２１に完全に挿入されている。この状態では、手摺り部収容部１１４と支柱２２０が固定ピン３０１によって連結されている。
【００６６】
以上のように構成される浴槽用手摺り１の使用方法について説明する。
【００６７】
浴槽壁に浴槽用手摺り１を取り付けるときには、まず、外側本体部１１０と内側本体部１２０とが組み合され、第１の押圧板１１１と第２の押圧板１２１との間隔が浴槽壁の厚みよりも広くされた状態で、本体１００が浴槽の側壁に配置される。このとき、ハンドルノブ隠しカバー１３１は取り外しておく。外側本体部１１０は、第１の押圧板１１１が浴槽の外側の浴槽壁面（浴槽壁の外側面）に対向するように配置される。内側本体部１２０は、第２の押圧板１２１が浴槽の内側の浴槽壁面（浴槽壁の内側面）に対向するように配置される。
【００６８】
次に、使用者が内側本体部１２０の側部グリップ１２２を保持して、内側本体部１２０を、浴槽壁面に直交する方向に沿ってスライドさせる。このようにして、第１の押圧板１１１が浴槽壁の外側面に接触し、第２の押圧板１２１が浴槽壁の内側面に接触するように、外側本体部１１０と内側本体部１２０との位置を調整する。
【００６９】
外側本体部１１０と内側本体部１２０との位置を調整した後、使用者は、必要があれば、ハンドルノブ１１３を回して、第１の押圧板１１１と第２の押圧板１２１とが浴槽壁に完全に接触するように、微調整することができる。このようにすることにより、浴槽用手摺り１を浴槽の側壁に強固に固定することができる。
【００７０】
このようにして本体１００を浴槽の側壁に固定した後、上部グリップ２１０の高さを調節する。使用者は、まず、固定ナット４００を緩める。また、固定ピン３０１の腕３３０を持って、図３に矢印Ｐで示す方向に引き抜く。使用者がカバー３１０の両脇の滑り防止リブ３５０に指を掛けて、固定ピン３０１を引き抜く方向に力を掛けると、てこの原理により腕３３０の先端が広がる。腕３３０の先端を広げるようにすることによって、脱落防止リブ３４０と本係止部１１７との係合を容易に外すことができる。使用者が固定ピン３０１をこのように引き抜くと、まず、脱落防止リブ３４０が本係止部１１７から外れる。
【００７１】
使用者がさらに固定ピン３０１を引き抜くと、脱落防止リブ３４０は、係止用延長部１１８上を本係止部１１７から仮係止部１１６に向かって移動する。
【００７２】
図４に示すように、脱落防止リブ３４０が仮係止部１１６に到達すると、脱落防止リブ３４０は仮係止部１１６によって係止される。このとき、挿入ピン３２０は支柱２２０の孔２２１からは完全に抜き出されている。一方、挿入ピン３２０は、手摺り部収容部１１４の孔１１５には挿入されたままである。すなわち、固定ピン３０１によって手摺り部収容部１１４と支柱２２０とが連結されていないが、固定ピン３０１が手摺り部収容部１１４上に係止されている仮係止状態にある。
【００７３】
使用者は、仮係止状態のときに、上部グリップ２１０を握り、上部グリップ２１０の高さを調節する。手摺り部収容部１１４と支柱２２０とは連結されていないので、使用者は支柱２２０を手摺り部収容部１１４の内部でスライドさせることができる。
【００７４】
上部グリップ２１０の高さが調節されたら、使用者は、手摺り部収容部１１４の孔１１５と合わせる支柱の孔２２１を選択し、選択された支柱２２０の孔２２１に挿入ピン３２０が挿入されるよう、固定ピン３０１を支柱２２０側へ押す。このとき、脱落防止リブ３４０が仮係止部１１６から外れる。使用者が固定ピン３０１をさらに押すと、脱落防止リブ３４０は係止用延長部１１８上を仮係止部１１６から本係止部１１７に向かって移動し、本係止部１１７に係止される。このとき、挿入ピン３２０は手摺り部収容部１１４の孔１１５と支柱２２０の孔２２１に挿入されて、本係止状態になる。
【００７５】
最後に、ハンドルノブ隠しカバー１３１が、ハンドルノブ１１３を覆うように外側本体部１１０に取り付けられ、固定ナット４００が締められる。
【００７６】
以上のように、浴槽用手摺り１の連結構造１０は、手摺り部収容部１１４と、手摺り部収容部１１４と連結される支柱２２０と、手摺り部収容部１１４と支柱２２０とを連結する固定ピン３０１とを備える。
【００７７】
手摺り部収容部１１４には孔１１５が形成され、支柱２２０には孔２２１が形成されている。固定ピン３０１は、カバー３１０と、挿入ピン３２０と、腕３３０と、脱落防止リブ３４０とを含む。カバー３１０は、孔１１５と孔２２１を覆う。挿入ピン３２０は、カバー３１０から突出するように形成されて手摺り部収容部１１４の孔１１５と支柱２２０の孔２２１に挿入される。腕３３０は、カバー３１０に接続され、挿入ピン３２０の延びる方向に沿って延びる。脱落防止リブ３４０は、腕３３０に形成されて手摺り部収容部１１４上に係止される。手摺り部収容部１１４は、脱落防止リブ３４０を着脱可能に係止する仮係止部１１６と本係止部１１７と、仮係止部１１６と本係止部１１７との間に形成される係止用延長部１１８とを含む。仮係止部１１６は、本係止部１１７と比較して孔１１５に近い位置に配置されている。仮係止部１１６の孔１１５側の端部と本係止部１１７の孔１１５側の端部との間の距離Ｄ２は、支柱２２０の孔２２１の深さＤ１以上である。
【００７８】
以上のように構成された連結構造１０では、手摺り部収容部１１４と支柱２２０は次のようにして連結される。まず、手摺り部収容部１１４の孔１１５と支柱２２０の孔２２１とを合わせる。次に、固定ピン３０１のカバー３１０が孔１１５と孔２２１とを覆うようにして、カバー３１０から突出する挿入ピン３２０を手摺り部収容部１１４の孔１１５と支柱２２０の孔２２１に挿入する。固定ピン３０１のカバー３１０からは腕３３０が延びている。腕３３０は、挿入ピン３２０の延びる方向に沿って延びており、腕３３０には脱落防止リブ３４０が形成されている。挿入ピン３２０を手摺り部収容部１１４と支柱２２０の外部から、手摺り部収容部１１４の孔２２１と支柱２２０の孔２２１の内部に挿入することによって、腕３３０の脱落防止リブ３４０は、手摺り部収容部１１４の孔１１５と支柱２２０の孔２２１の外部において、挿入ピン３２０が挿入される向きに移動される。
【００７９】
手摺り部収容部１１４の仮係止部１１６は、本係止部１１７よりも孔１１５に近い位置に配置されている。手摺り部収容部１１４の孔１１５と支柱２２０の孔２２１の外部において、挿入ピン３２０が挿入される向きに移動される脱落防止リブ３４０は、まず、仮係止部１１６の位置に到達する。脱落防止リブ３４０は、仮係止部１１６に係止され得るが、さらに挿入ピン３２０を孔１１５と孔２２１の内部に向かって挿入することによって、脱落防止リブ３４０は、仮係止部１１６から本係止部１１７に向かって移動される。仮係止部１１６と本係止部１１７との間には係止用延長部１１８が形成されている。そのため、仮係止部１１６から本係止部１１７に向かって脱落防止リブ３４０が移動されるとき、本係止部１１７と仮係止部１１６との間が曲面や凹凸面で形成されている場合と比較して、脱落防止リブ３４０が形成されている腕３３０を大きく変形させる必要がない。
【００８０】
さらに挿入ピン３２０が孔１１５と孔２２１の内部に向かって挿入されるとともに係止用延長部１１８上を移動された脱落防止リブ３４０は、本係止部１１７の位置に到達する。脱落防止リブ３４０は本係止部１１７に係止される。
【００８１】
挿入ピン３２０の長さは、適宜設計される。例えば、脱落防止リブ３４０が本係止部１１７に係止されるときに、挿入ピン３２０においてカバー３１０と反対側の端部が支柱２２０の孔２２１に完全に挿入されるように、挿入ピン３２０の長さを設計することができる。
【００８２】
次に、手摺り部収容部１１４と支柱２２０との連結を解除する場合の操作について説明する。挿入ピン３２０が孔２２１から抜き出される方向に固定ピン３０１が移動されることによって、まず、脱落防止リブ３４０が本係止部１１７から外れる。脱落防止リブ３４０は本係止部１１７から仮係止部１１６との間に形成される係止用延長部１１８上を移動する。本係止部１１７と仮係止部１１６との間に係止用延長部１１８が形成されることによって、本係止部１１７と仮係止部１１６との間が曲面や凹凸面で形成されている場合と比較して、脱落防止リブ３４０が形成されている腕３３０を大きく変形させる必要がない。
【００８３】
仮係止部１１６の孔１１５側の端部と本係止部１１７の孔１１５側の端部との間の距離は、支柱２２０の孔２２１の深さＤ１以上である。したがって、例えば、挿入ピン３２０の長さが上述のように設計されている場合には、挿入ピン３２０が支柱２２０の孔２２１に完全に挿入された状態では脱落防止リブ３４０が本係止部１１７に係止され、脱落防止リブ３４０が仮係止部１１６にあるときには、挿入ピン３２０が支柱２２０の孔２２１から完全に抜け出した状態にあるようにすることができる。挿入ピン３２０が支柱２２０の孔２２１から完全に抜け出した状態では、手摺り部収容部１１４と支柱２２０とは連結されていない。
【００８４】
固定ピン３０１がさらに移動されると、脱落防止リブ３４０が仮係止部１１６に係止される位置に到達する。例えば、挿入ピン３２０の長さが上述のように設計されている場合には、脱落防止リブ３４０が仮係止部１１６に係止されているときには、挿入ピン３２０は支柱２２０の孔２２１から完全に抜け出した状態にある。
【００８５】
以上のように、挿入ピン３２０が支柱２２０の孔２２１から完全に抜け出したとき、すなわち、手摺り部収容部１１４と支柱２２０とが連結されていない状態で、固定ピン３０１の脱落防止リブ３４０が仮係止部１１６に係止されていることによって、手摺り部収容部１１４と支柱２２０との連結を解除して手摺り部収容部１１４と支柱２２０との位置関係を調節するときに、固定ピン３０１を手摺り部収容部１１４からも支柱２２０からも外して紛失することがなくなる。
【００８６】
また、仮係止部１１６と本係止部１１７との間に係止用延長部１１８が形成されていることによって、脱落防止リブ３４０が仮係止部１１６と本係止部１１７との間を移動するときに腕３３０の変形を従来よりも少なくすることができる。
【００８７】
このようにすることにより、取り扱いが簡単な連結構造１０を備える浴槽用手摺り１を提供することができる。
【００８８】
また、浴槽用手摺り１の連結構造１０においては、孔２２１は、支柱２２０に複数形成されている。
【００８９】
このようにすることにより、支柱２２０において挿入ピン３２０が挿入される孔２２１を選択することによって、手摺り部収容部１１４と支柱２２０との位置関係を調節することができる。
【００９０】
また、浴槽用手摺り１の連結構造１０においては、脱落防止リブ３４０は凸部であり、仮係止部１１６は、手摺り部収容部１１４の外側表面に形成される凹部である。凹部の深さは、孔１１５に近い側で深く、孔１１５から遠い側で浅い。
【００９１】
このようにすることにより、脱落防止リブ３４０を仮係止部１１６から本係止部１１７に移動させるとき、すなわち、挿入ピン３２０を孔２２１の内部に向かって挿入するとき、仮係止部１１６による脱落防止リブ３４０の係止が外れやすくなる。
【００９２】
また、浴槽用手摺り１は、手摺り部２００と、本体１００と、上記の連結構造１０とを備える。手摺り部２００は上部グリップ２１０を含む。本体１００は浴槽の側壁に配置されて手摺り部２００を支持する。手摺り部収容部１１４は本体１００に配置されている。支柱２２０は手摺り部２００に配置されて上部グリップ２１０に固着されている。
【００９３】
このようにすることにより、上部グリップ２１０の高さを容易に、かつ、安全に調節することが可能な浴槽用手摺り１を提供することができる。
【００９４】
また、浴槽用手摺り１は、支柱２２０を本体１００に固定する固定ナット４００を備える。
【００９５】
このようにすることにより、支柱２２０のガタツキを防止することができる。
【００９６】
また、浴槽用手摺り１においては、固定ナット４００は、手摺り部２００と本体１００の上表面との間に配置される。
【００９７】
このようにすることにより、支柱２２０のガタツキをより効果的に防止することができる。
【００９８】
なお、第１実施形態においては、連結構造１０は浴槽用手摺り１に用いられているが、連結構造１０は、２つ以上の筒状の部材が連結されて長さを調節できる杖や、２つ以上の部材が連結されて座面の高さを調節できる椅子などにおいて、２つ以上の部材を連結するために用いられてもよい。
【００９９】
（第２実施形態）
第２実施形態の浴槽用手摺りは、第１実施形態の浴槽用手摺りとほぼ同様の構成を備える。
【０１００】
図５は、第２実施形態の浴槽用手摺りの断面図であり、図３に示す第１実施形態の浴槽用手摺りの断面図と同じ高さの断面を示すものである。第２実施形態の浴槽用手摺りは、第１実施形態の浴槽用手摺りと同様、主に、手摺り部２００（図２）と、本体部として本体１００（図２）と、連結構造２０とを備える。手摺り部２００は、把手部として上部グリップ２１０と、第２部材として２本の支柱２２０とから構成されている。
【０１０１】
図５に示すように、第２実施形態の浴槽用手摺りの連結構造２０が第１実施形態の浴槽用手摺りの連結構造１０（図３）と異なる点としては、支柱２２０には、軸に沿って複数の主孔２２１ａと副孔２２１ｂが形成されている。主孔２２１ａと副孔２２１ｂとは支柱２２０の径の両端に形成されて、互いに対向している。主孔２２１ａは係合穴の一例であり、副孔２２１ｂは副係合穴の一例である。主孔２２１ａは深さＤ３、副孔２２１ｂは深さＤ５、主孔２２１ａから副孔２２１ｂまでの距離、すなわち、支柱２２０の内径は径Ｄ４の大きさに形成されている。
【０１０２】
手摺り部収容部１１４において、仮係止部１１６の孔１１５側の端部と本係止部１１７の孔１１５側の端部との間の距離Ｄ６は、支柱２２０の主孔２２１ａの深さＤ３と副孔２２１ｂの深さＤ５と支柱２２０の径Ｄ４との合計の大きさ以上に形成されている。
【０１０３】
固定ピン３０２の挿入ピン３２０の長さは、固定ピン３０２が手摺り部収容部１１４に取り付けられたとき、支柱２２０の主孔２２１ａと副孔２２１ｂの両方に完全に挿入される長さに形成されている。腕３３０は、第１実施形態の腕３３０と比較して長く、固定ピン３０２は全体としてＵ字形状に形成されている。なお、腕３３０の長さは適宜設計されればよい。固定ピン３０２のその他の構成は、第１実施形態の固定ピン３０１と同様である。
【０１０４】
図５に示す状態においては、挿入ピン３２０は支柱２２０の主孔２２１ａと副孔２２１ｂの両方に完全に挿入されている。この状態では、手摺り部収容部１１４と支柱２２０が固定ピン３０２によって連結されて本係止状態にある。
【０１０５】
図６に示すように、使用者が第１実施形態と同様にして固定ピン３０２を引き抜くと、脱落防止リブ３４０は、係止用延長部１１８上を本係止部１１７から仮係止部１１６に向かって移動する。
【０１０６】
脱落防止リブ３４０が仮係止部１１６に到達すると、脱落防止リブ３４０は仮係止部１１６によって係止される。このとき、挿入ピン３２０は支柱２２０の主孔２２１ａと副孔２２１ｂからは完全に抜き出されている。一方、挿入ピン３２０は、手摺り部収容部１１４の孔１１５には挿入されたままである。すなわち、固定ピン３０２によって手摺り部収容部１１４と支柱２２０とが連結されていないが、固定ピン３０２が手摺り部収容部１１４上に係止されている仮係止状態にある。
【０１０７】
以上のように、浴槽用手摺りの連結構造２０は、手摺り部収容部１１４と、手摺り部収容部１１４と連結される支柱２２０と、手摺り部収容部１１４と支柱２２０とを連結する固定ピン３０２とを備える。
【０１０８】
手摺り部収容部１１４には孔１１５が形成され、支柱２２０には主孔２２１ａが形成されている。固定ピン３０２は、カバー３１０と、挿入ピン３２０と、腕３３０と、脱落防止リブ３４０とを含む。カバー３１０は、孔１１５と主孔２２１ａを覆う。挿入ピン３２０は、カバー３１０から突出するように形成されて手摺り部収容部１１４の孔１１５と支柱２２０の主孔２２１ａとに挿入される。腕３３０は、カバー３１０に接続され、挿入ピン３２０の延びる方向に沿って延びる。脱落防止リブ３４０は、腕３３０に形成されて手摺り部収容部１１４上に係止される。手摺り部収容部１１４は、脱落防止リブ３４０を着脱可能に係止する仮係止部１１６と本係止部１１７と、仮係止部１１６と本係止部１１７との間に形成される係止用延長部１１８とを含む。仮係止部１１６は、本係止部１１７と比較して孔１１５に近い位置に配置されている。仮係止部１１６の孔１１５側の端部と本係止部１１７の孔１１５側の端部との間の距離Ｄ６は、支柱２２０の主孔２２１ａの深さＤ３以上である。
【０１０９】
このようにすることにより、取り扱いが簡単な連結構造２０を備える浴槽用手摺りを提供することができる。
【０１１０】
また、浴槽用手摺りの連結構造２０においては、手摺り部収容部１１４は相対的に内径の大きい筒であり、支柱２２０は相対的に内径の小さい筒である。支柱２２０は手摺り部収容部１１４の内部でスライド可能に手摺り部収容部１１４の内部に収容されている。支柱２２０は、主孔２２１ａと対向する位置に副孔２２１ｂが形成されている。挿入ピン３２０は、主孔２２１ａと副孔２２１ｂとの両方を貫通する長さに形成されている。仮係止部１１６の孔１１５側の端部と本係止部１１７の孔１１５側の端部との間の距離Ｄ６は、支柱２２０の主孔２２１ａの深さＤ３と、支柱２２０の主孔２２１ａから副孔２２１ｂまでの距離Ｄ４と、支柱２２０の副孔２２１ｂの深さＤ５との合計の長さ以上である。
【０１１１】
このようにすることにより、挿入ピン３２０の長さを、支柱２２０の主孔２２１ａと副孔２２１ｂとの両方を貫通する長さにし、支柱２２０の主孔２２１ａと副孔２２１ｂに挿入ピン３２０を挿入して、手摺り部収容部１１４と支柱２２０とをより強固に連結することができる。また、支柱２２０と手摺り部収容部１１４との連結が解除された状態で、固定ピン３０２を手摺り部収容部１１４上に係止させることができる。
【０１１２】
第２実施形態の浴槽用手摺りのその他の構成と効果は、第１実施形態の浴槽用手摺り１と同様である。
【０１１３】
（第３実施形態）
第３実施形態の浴槽用手摺りは、第１実施形態の浴槽用手摺りとほぼ同様の構成を備える。
【０１１４】
図７は、第３実施形態の浴槽用手摺りの断面図であり、図３に示す第１実施形態の浴槽用手摺りの断面図と同じ高さの断面を示すものである。第３実施形態の浴槽用手摺りは、第１実施形態の浴槽用手摺りと同様、主に、手摺り部２００（図２）と、本体部として本体１００（図２）と、連結構造３０とを備える。手摺り部２００は、把手部として上部グリップ２１０と、第２部材として２本の支柱２２０とから構成されている。
【０１１５】
図７と図８とに示すように、第３実施形態の浴槽用手摺りの連結構造３０が第１実施形態の浴槽用手摺りの連結構造１０（図３）と異なる点としては、支柱２２０には、軸に沿って複数の主孔２２１ａと副孔２２１ｂが形成されている。主孔２２１ａと副孔２２１ｂとは支柱２２０の径の両端に形成されて、互いに対向している。主孔２２１ａは係合穴の一例であり、副孔２２１ｂは副係合穴の一例である。主孔２２１ａは深さＤ７、副孔２２１ｂは深さＤ９、主孔２２１ａから副孔２２１ｂまでの距離、すなわち、支柱２２０の内径は径Ｄ８の大きさに形成されている。
【０１１６】
また、第３実施形態の浴槽用手摺りにおいては、手摺り部収容部１１４に主孔１１５ａと副孔１１５ｂとが形成されている。主孔１１５ａと副孔１１５ｂとは手摺り部収容部１１４の筒状の内径の両端に形成されて、互いに対向している。この実施形態においては、副孔１１５ｂは、手摺り部収容部１１４の内壁面上に形成された凹部であり、手摺り部収容部１１４の壁面を貫通していない。主孔１１５ａは係合穴の一例であり、副孔１１５ｂは副係合穴の一例である。副孔１１５ｂは深さＤ１１の大きさに形成されている。この実施形態の手摺りにおいては、支柱２２０の副孔２２１ｂと手摺り部収容部１１４の副孔１１５ｂとの間には、距離Ｄ１０の隙間が形成されている。
【０１１７】
手摺り部収容部１１４において、仮係止部１１６の主孔１１５ａ側の端部と本係止部１１７の主孔１１５ａ側の端部との間の距離Ｄ１２は、支柱２２０の主孔２２１ａの深さＤ７と副孔２２１ｂの深さＤ９と支柱２２０の径Ｄ８と、支柱２２０の副孔２２１ｂから手摺り部収容部１１４の副孔１１５ｂまでの距離Ｄ１０と、副孔１１５ｂの深さＤ１１との合計の大きさであるように形成されている。
【０１１８】
固定ピン３０３の挿入ピン３２０の長さは、固定ピン３０３が手摺り部収容部１１４に取り付けられたとき、支柱２２０の主孔２２１ａと副孔２２１ｂと、手摺り部収容部１１４の主孔１１５ａと副孔１１５ｂとのすべてに完全に挿入される長さに形成されている。腕３３０は、第１実施形態の腕３３０と比較して長く、固定ピン３０３は全体としてＵ字形状に形成されている。なお、腕３３０の長さは適宜設計されればよい。固定ピン３０３のその他の構成は、第１実施形態の固定ピン３０１と同様である。
【０１１９】
図７に示す状態においては、挿入ピン３２０は支柱２２０の主孔２２１ａと副孔２２１ｂと、手摺り部収容部１１４の主孔１１５ａと副孔１１５ｂとのすべてに完全に挿入されている。この状態では、手摺り部収容部１１４と支柱２２０が固定ピン３０３によって連結されて本係止状態にある。
【０１２０】
図９に示すように、使用者が第１実施形態と同様にして固定ピン３０３を引き抜くと、脱落防止リブ３４０は、係止用延長部１１８上を本係止部１１７から仮係止部１１６に向かって移動する。
【０１２１】
脱落防止リブ３４０が仮係止部１１６に到達すると、脱落防止リブ３４０は仮係止部１１６によって係止される。このとき、挿入ピン３２０は支柱２２０の主孔２２１ａと副孔２２１ｂと、手摺り部収容部１１４の副孔１１５ｂとからは完全に抜き出されている。一方、挿入ピン３２０は、手摺り部収容部１１４の主孔１１５ａには挿入されたままである。すなわち、固定ピン３０３によって手摺り部収容部１１４と支柱２２０とが連結されていないが、固定ピン３０３が手摺り部収容部１１４上に係止されている仮係止状態にある。
【０１２２】
以上のように、浴槽用手摺りの連結構造３０は、手摺り部収容部１１４と、手摺り部収容部１１４と連結される支柱２２０と、手摺り部収容部１１４と支柱２２０とを連結する固定ピン３０３とを備える。
【０１２３】
手摺り部収容部１１４には主孔１１５ａが形成され、支柱２２０には主孔２２１ａが形成されている。固定ピン３０３は、カバー３１０と、挿入ピン３２０と、腕３３０と、脱落防止リブ３４０とを含む。カバー３１０は、主孔１１５ａを覆う。挿入ピン３２０は、カバー３１０から突出するように形成されて手摺り部収容部１１４と支柱２２０との主孔１１５ａと主孔２２１ａとに挿入される。腕３３０は、カバー３１０に接続され、挿入ピン３２０の延びる方向に沿って延びる。脱落防止リブ３４０は、腕３３０に形成されて手摺り部収容部１１４上に係止される。手摺り部収容部１１４は、脱落防止リブ３４０を着脱可能に係止する仮係止部１１６と本係止部１１７と、仮係止部１１６と本係止部１１７との間に形成される係止用延長部１１８とを含む。仮係止部１１６は、本係止部１１７と比較して主孔１１５ａに近い位置に配置されている。仮係止部１１６の主孔１１５ａ側の端部と本係止部１１７の主孔１１５ａ側の端部との間の距離Ｄ１２は、支柱２２０の主孔２２１ａの深さＤ７以上である。
【０１２４】
このようにすることにより、取り扱いが簡単な連結構造３０を備える浴槽用手摺りを提供することができる。
【０１２５】
また、浴槽用手摺りの連結構造３０においては、手摺り部収容部１１４は、主孔１１５ａと対向する位置に副孔１１５ｂが形成されている。仮係止部１１６の主孔１１５ａ側の端部と本係止部１１７の主孔１１５ａ側の端部との間の距離は、支柱２２０の主孔１１５ａの深さＤ７と、支柱２２０の主孔２２１ａから副孔２２１ｂまでの距離Ｄ８と、支柱２２０の副孔２２１ｂの深さＤ９と、支柱２２０の副孔２２１ｂから手摺り部収容部１１４の副孔１１５ｂまでの距離Ｄ１０と、手摺り部収容部１１４の副孔１１５ｂの深さＤ１１との合計の長さ以上である。
【０１２６】
このようにすることにより、挿入ピン３２０の長さを、手摺り部収容部１１４の主孔１１５ａと副孔１１５ｂとの両方を貫通する長さにし、手摺り部収容部１１４の主孔１１５ａと副孔１１５ｂと、支柱２２０の主孔２２１ａと副孔２２１ｂとに挿入ピン３２０を挿入して、手摺り部収容部１１４と支柱２２０とをより強固に連結することができる。また、支柱２２０と手摺り部収容部１１４との連結が解除された状態で、固定ピン３０３を手摺り部収容部１１４上に係止させることができる。
【０１２７】
第３実施形態の浴槽用手摺りのその他の構成と効果は、第１実施形態の浴槽用手摺り１と同様である。
【０１２８】
（第４実施形態）
第４実施形態の浴槽用手摺りは、第３実施形態の浴槽用手摺りとほぼ同様の構成を備える。
【０１２９】
図１０は、第４実施形態の浴槽用手摺りの断面図であり、図３に示す第１実施形態の浴槽用手摺りの断面図と同じ高さの断面を示すものである。第４実施形態の浴槽用手摺りは、第１実施形態の浴槽用手摺りと同様、主に、手摺り部２００（図２）と、本体部として本体１００（図２）と、連結構造４０とを備える。手摺り部２００は、把手部として上部グリップ２１０と、第２部材として２本の支柱２２０とから構成されている。
【０１３０】
図１０と図１１とに示すように、第４実施形態の浴槽用手摺りの連結構造４０が第１実施形態の浴槽用手摺りの連結構造１０（図３）と異なる点としては、第３実施形態と同様、支柱２２０には、軸に沿って複数の主孔２２１ａと副孔２２１ｂが形成されている。主孔２２１ａと副孔２２１ｂとは支柱２２０の径の両端に形成されて、互いに対向している。主孔２２１ａは係合穴の一例であり、副孔２２１ｂは副係合穴の一例である。主孔２２１ａは深さＤ７、副孔２２１ｂは深さＤ９、主孔２２１ａから副孔２２１ｂまでの距離、すなわち、支柱２２０の内径は径Ｄ８の大きさに形成されている。
【０１３１】
また、第４実施形態の浴槽用手摺りにおいては、第３実施形態と同様に、手摺り部収容部１１４に主孔１１５ａと副孔１１５ｂとが形成されている。主孔１１５ａと副孔１１５ｂとは手摺り部収容部１１４の筒状の内径の両端に形成されて、互いに対向している。この実施形態においては、副孔１１５ｂは、手摺り部収容部１１４の内壁面上に形成された凹部であり、手摺り部収容部１１４の壁面を貫通していない。主孔１１５ａは係合穴の一例であり、副孔１１５ｂは副係合穴の一例である。副孔１１５ｂは深さＤ１１の大きさに形成されている。この実施形態の手摺りにおいては、支柱２２０の副孔２２１ｂと手摺り部収容部１１４の副孔１１５ｂとの間には、距離Ｄ１０の隙間が形成されている。
【０１３２】
第４実施形態の浴槽用手摺りの連結構造４０が第３実施形態の連結構造３０と異なる点としては、手摺り部収容部１１４には、第１部材側係止部として一対の係止部１１９と、平面部として一対の係止用延長部１１８ａとが形成されている。係止部１１９は、係止用延長部１１８ａに対して突出している凸部として、手摺り部収容部１１４の外周面上に形成されている。
【０１３３】
固定ピン３０４の挿入ピン３２０の長さは、固定ピン３０４が手摺り部収容部１１４に取り付けられたとき、支柱２２０の主孔２２１ａと副孔２２１ｂと、手摺り部収容部１１４の主孔１１５ａと副孔１１５ｂとのすべてに完全に挿入される長さに形成されている。腕３３０は、第１実施形態の腕３３０と比較して長く、固定ピン３０４は全体としてＵ字形状に形成されている。なお、腕３３０の長さは適宜設計されればよい。
【０１３４】
また、固定ピン３０４の一対の腕３３０には、それぞれ、連結部側本係止部として本係止リブ３４１と連結部側仮係止部として仮係止リブ３４２と、滑り防止リブ３５０とが形成されている。本係止リブ３４１のカバー３１０側の端部と、仮係止リブ３４２のカバー３１０側の端部との間の距離Ｄ１３は、支柱２２０の主孔２２１ａの深さＤ７と副孔２２１ｂの深さＤ９と支柱２２０の径Ｄ８と、支柱２２０の副孔２２１ｂから手摺り部収容部１１４の副孔１１５ｂまでの距離Ｄ１０と、副孔１１５ｂの深さＤ１１との合計の大きさであるように形成されている。なお、この実施形態においては、カバー３１０と腕３３０とは一体に成形されている。カバー３１０と腕３３０とは、例えば、別個の部材によって形成され、互いに固着されていてもよい。滑り防止リブ３５０は、カバー３１０の両脇において、カバー３１０よりも腕３３０の先端側に形成されている。滑り防止リブ３５０は、挿入ピン３２０の反対側に向かって突出する突起である。滑り防止リブ３５０は、カバー３１０と仮係止リブ３４２との間に形成されていることが好ましく、カバー３１０と本係止リブ３４１との間に形成されていることがより好ましい。
【０１３５】
図１０に示す状態においては、挿入ピン３２０は支柱２２０の主孔２２１ａと副孔２２１ｂと、手摺り部収容部１１４の主孔１１５ａと副孔１１５ｂとのすべてに完全に挿入されている。この状態では、手摺り部収容部１１４と支柱２２０が固定ピン３０４によって連結されて本係止状態にある。
【０１３６】
図１２に示すように、使用者が第１実施形態と同様にして固定ピン３０４を引き抜くと、仮係止リブ３４２は、係止用延長部１１８ａ上を係止部１１９に向かって移動する。
【０１３７】
仮係止リブ３４２が係止部１１９に到達すると、仮係止リブ３４２は係止部１１９によって係止される。このとき、挿入ピン３２０は支柱２２０の主孔２２１ａと副孔２２１ｂと、手摺り部収容部１１４の副孔１１５ｂとからは完全に抜き出されている。一方、挿入ピン３２０は、手摺り部収容部１１４の主孔１１５ａには挿入されたままである。すなわち、固定ピン３０４によって手摺り部収容部１１４と支柱２２０とが連結されていないが、固定ピン３０４が手摺り部収容部１１４上に係止されている仮係止状態にある。
【０１３８】
以上のように、第４実施形態の浴槽用手摺りの連結構造４０は、手摺り部収容部１１４と、手摺り部収容部１１４と連結される支柱２２０と、手摺り部収容部１１４と支柱２２０とを連結する固定ピン３０４とを備える。
【０１３９】
手摺り部収容部１１４と支柱２２０にはそれぞれ主孔１１５ａ、主孔２２１ａが形成されている。固定ピン３０４は、カバー３１０と、挿入ピン３２０と、腕３３０と、仮係止リブ３４２と本係止リブ３４１とを含む。カバー３１０は、主孔１１５ａと主孔２２１ａとを覆う。挿入ピン３２０は、カバー３１０から突出するように形成されて手摺り部収容部１１４の主孔１１５ａと支柱２２０の主孔２２１ａに挿入される。腕３３０は、カバー３１０に接続されて挿入ピン３２０の延びる方向に沿って延びる。仮係止リブ３４２と本係止リブ３４１とは、腕３３０に形成されて手摺り部収容部１１４上に係止される。手摺り部収容部１１４は、仮係止リブ３４２と本係止リブ３４１とを着脱可能に係止する係止部１１９と、係止部１１９に隣接して形成される係止用延長部１１８ａとを含む。係止用延長部１１８ａは、係止部１１９よりも、主孔１１５ａから遠い位置に形成されている。本係止リブ３４１は、仮係止リブ３４２と比較して、カバー３１０に近い位置に配置されている。本係止リブ３４１においてカバー３１０側の端部と仮係止リブ３４２においてカバー３１０側の端部との間の距離は、主孔２２１ａの深さＤ７以上である。
【０１４０】
以上のように構成された連結構造４０では、手摺り部収容部１１４と支柱２２０は次のようにして連結される。まず、主孔１１５ａと主孔２２１ａとを合わせる。次に、固定ピン３０４のカバー３１０が主孔１１５ａと主孔２２１ａとを覆うようにして、カバー３１０から突出する挿入ピン３２０を主孔１１５ａと主孔２２１ａに挿入する。固定ピン３０４のカバー３１０からは腕３３０が延びている。腕３３０は、挿入ピン３２０の延びる方向に沿って延びており、腕３３０には仮係止リブ３４２と本係止リブ３４１とが形成されている。挿入ピン３２０を手摺り部収容部１１４と支柱２２０の外部から、主孔１１５ａと主孔２２１ａの内部に挿入することによって、腕３３０の仮係止リブ３４２と本係止リブ３４１とは、主孔１１５ａと主孔２２１ａの外部において、挿入ピン３２０が挿入される向きに移動される。
【０１４１】
固定ピン３０４の本係止リブ３４１は、仮係止リブ３４２よりもカバー３１０に近い位置に配置されている。主孔１１５ａと主孔２２１ａの外部において、固定ピン３０４が挿入ピン３２０が挿入される向きに移動されると、まず、仮係止リブ３４２が係止部１１９の位置に到達する。仮係止リブ３４２は、係止部１１９に係止され得るが、さらに挿入ピン３２０を主孔１１５ａと主孔２２１ａとの内部に向かって挿入することによって、仮係止リブ３４２は、係止部１１９から係止用延長部１１８ａに向かって移動される。係止用延長部１１８ａは、係止部１１９と隣接して、係止部１１９よりも主孔１１５ａから遠い位置に形成されている。そのため、係止部１１９を通りすぎて、主孔１１５ａから遠ざかる方向に仮係止リブ３４２が移動されるとき、手摺り部収容部１１４において係止部１１９に隣接する部分が曲面や凹凸面で形成されている場合と比較して、本係止リブ３４１と仮係止リブ３４２とが形成されている腕３３０を大きく変形させる必要がない。
【０１４２】
さらに挿入ピン３２０が主孔１１５ａと主孔２２１ａとの内部に向かって挿入されると、次に、本係止リブ３４１が係止部１１９の位置に到達する。本係止リブ３４１は係止部１１９に係止される。
【０１４３】
挿入ピン３２０の長さは、適宜設計される。例えば、本係止リブ３４１が係止部１１９に係止されるときに、挿入ピン３２０においてカバー３１０と反対側の端部が主孔２２１ａに完全に挿入されるように、挿入ピン３２０の長さを設計することができる。
【０１４４】
次に、手摺り部収容部１１４と支柱２２０との連結を解除する場合の操作について説明する。挿入ピン３２０が主孔１１５ａと主孔２２１ａとから抜き出される方向に固定ピン３０４が移動されることによって、まず、本係止リブ３４１が係止部１１９から外れる。一方、仮係止リブ３４２は係止用延長部１１８ａ上を移動する。そのため、係止部１１９よりも手摺り部収容部１１４の主孔１１５ａから遠い位置において係止部１１９に隣接する部分が曲面や凹凸面で形成されている場合と比較して、仮係止リブ３４２と本係止リブ３４１とが形成されている腕３３０を大きく変形させる必要がない。
【０１４５】
仮係止リブ３４２においてカバー３１０側の端部と本係止リブ３４１においてカバー３１０側の端部との間の距離は、主孔２２１ａの深さ以上である。したがって、例えば、挿入ピン３２０の長さが上述のように設計されている場合には、挿入ピン３２０が主孔２２１ａに完全に挿入された状態では本係止リブ３４１が係止部１１９に係止され、仮係止リブ３４２が係止部１１９に係止されているときには、挿入ピン３２０が主孔２２１ａから完全に抜け出した状態にあるようにすることができる。挿入ピン３２０が主孔２２１ａから完全に抜け出した状態では、手摺り部収容部１１４と支柱２２０とは連結されていない。
【０１４６】
固定ピン３０４がさらに移動されると、仮係止リブ３４２が係止部１１９に係止される位置に到達する。例えば、挿入ピン３２０の長さが上述のように設計されている場合には、仮係止リブ３４２が係止部１１９に係止されているときには、挿入ピン３２０は主孔２２１ａから完全に抜け出した状態にある。
【０１４７】
以上のように、挿入ピン３２０が主孔２２１ａから完全に抜け出したとき、すなわち、手摺り部収容部１１４と支柱２２０とが連結されていない状態で、固定ピン３０４の仮係止リブ３４２が係止部１１９に係止されている。このようにすることにより、手摺り部収容部１１４と支柱２２０との連結を解除して手摺り部収容部１１４と支柱２２０との位置関係を調節するときに、固定ピン３０４を手摺り部収容部１１４からも支柱２２０からも外して紛失することがなくなる。
【０１４８】
また、係止部１１９と隣接して、係止部１１９よりも主孔１１５ａから遠い位置に係止用延長部１１８ａが形成されていることによって、仮係止リブ３４２が係止部１１９に係止される位置から本係止リブ３４１が係止部１１９に係止される位置まで固定ピン３０４を移動するときに、腕３３０の変形を従来よりも少なくすることができる。また、本係止リブ３４１が係止部１１９に係止される位置から仮係止リブ３４２が係止部１１９に係止される位置まで固定ピン３０４を移動するときに、腕３３０の変形を従来よりも少なくすることができる。
【０１４９】
また、第４実施形態の浴槽用手摺りの連結構造４０においては、手摺り部収容部１１４は相対的に内径の大きい筒であり、支柱２２０は相対的に内径の小さい筒である。支柱２２０は手摺り部収容部１１４の内部でスライド可能に手摺り部収容部１１４の内部に収容されている。支柱２２０は、主孔２２１ａと対向する位置に副孔２２１ｂが形成されている。挿入ピン３２０は、主孔２２１ａと副孔２２１ｂとの両方を貫通する長さに形成されている。本係止リブ３４１においてカバー３１０側の端部と仮係止リブ３４２においてカバー３１０側の端部との間の距離Ｄ１３は、主孔２２１ａの深さＤ７と、主孔２２１ａから副孔２２１ｂまでの距離Ｄ８と、副孔２２１ｂの深さＤ９との合計の長さ以上である。
【０１５０】
このようにすることにより、挿入ピン３２０の長さを、主孔２２１ａと副孔との両方を貫通する長さにし、主孔２２１ａと副孔に挿入ピン３２０を挿入して、手摺り部収容部１１４と支柱２２０とをより強固に連結することができる。また、支柱２２０と手摺り部収容部１１４との連結が解除された状態で、固定ピン３０４を手摺り部収容部１１４上に係止させることができる。
【０１５１】
また、第４実施形態の浴槽用手摺りの連結構造４０においては、手摺り部収容部１１４は、主孔１１５ａと対向する位置に副孔１１５ｂが形成されている。本係止リブ３４１においてカバー３１０側の端部と仮係止リブ３４２においてカバー３１０側の端部との間の距離Ｄ１３は、主孔２２１ａの深さＤ７と、主孔２２１ａから副孔２２１ｂまでの距離Ｄ８と、副孔２２１ｂの深さＤ９と、副孔２２１ｂから副孔１１５ｂまでの距離Ｄ１０と、副孔１１５ｂの深さＤ１１との合計の長さ以上である。
【０１５２】
このようにすることにより、挿入ピン３２０の長さを、主孔１１５ａと副孔１１５ｂとの両方を貫通する長さにし、主孔１１５ａと副孔１１５ｂと、主孔２２１ａと副孔２２１ｂとに挿入ピン３２０を挿入して、手摺り部収容部１１４と支柱２２０とをより強固に連結することができる。また、支柱２２０と手摺り部収容部１１４との連結が解除された状態で、固定ピン３０４を手摺り部収容部１１４上に係止させることができる。
【０１５３】
第４実施形態の浴槽用手摺りのその他の構成と効果は、第３実施形態の浴槽用手摺りと同様である。
【０１５４】
以上に開示された実施の形態はすべての点で例示であって制限的なものではないと考慮されるべきである。本発明の範囲は、以上の説明ではなく、特許請求の範囲によって示され、特許請求の範囲と均等の意味および範囲内でのすべての変形を含むものである。
【符号の説明】
【０１５５】
１：浴槽用手摺り、１０，２０，３０，４０：連結構造、１００：本体、１１４：手摺り部収容部、１１５：孔、１１５ａ：主孔、１１５ｂ：副孔、１１６：仮係止部、１１７：本係止部、１１８，１１８ａ：係止用延長部、１１９：係止部、２００：手摺り部、２１０：上部グリップ、２２０：支柱、２２１：孔、２２１ａ：主孔、２２１ｂ：副孔、３０１，３０２，３０３，３０４：固定ピン、３１０：カバー、３２０：挿入ピン、３３０：腕、３４０：脱落防止リブ、３４１：本係止リブ、３４２：仮係止リブ、４００：固定ナット。
【図１】
0005912314.tif 000002
【図２】
0005912314.tif 000003
【図３】
0005912314.tif 000004
【図４】
0005912314.tif 000005
【図５】
0005912314.tif 000006
【図６】
0005912314.tif 000007
【図７】
0005912314.tif 000008
【図８】
0005912314.tif 000009
【図９】
0005912314.tif 000010
【図１０】
0005912314.tif 000011
【図１１】
0005912314.tif 000012
【図１２】
0005912314.tif 000013